(57)【要約】【課題】対向する配置の部材間に設置され、部材から受ける圧力を確実に支持することができ、用済み後は、部材から圧力を受けた状態であっても部材間から容易に取り外すことができる受圧体及び圧力支持体並びに同圧力支持体の取外し方法を提供する。【解決手段】対向する配置の部材２０、３間に設置され、部材２０、３から受ける圧力を支持する圧力支持体４であって、一方が開放された箱形の外側部材５と、袋体６０と袋体６０内に充填された硅砂６１とで構成され外側部材５の内部に収納された受圧体６と、外側部材５の開放側から受圧体６を押圧する内側部材７と、を備えている。外側部材５は、外部から袋体６０を破って内部の硅砂６１を外部へ放出させるための貫通孔５２を有する。【選択図】図３
2015209742.tif 000002
【特許請求の範囲】
【請求項１】
対向する配置の部材間に設置され、同部材から受ける圧力を支持する一対の支持体間に設置される受圧体であって、
袋体と、同袋体内に充填された充填材と、を備えていることを特徴とする、受圧体。
【請求項２】
前記充填材は、粒状物で構成されており、
前記袋体は、該袋体内の空気を抜く空気孔が形成されていることを特徴とする、請求項１に記載した受圧体。
【請求項３】
前記袋体は、破くことができる材質で構成されており、前記袋体を破って内部の前記充填材を外部へ放出させることができることを特徴とする、請求項１又は２に記載した受圧体。
【請求項４】
対向する配置の部材間に設置され、同部材から受ける圧力を支持する圧力支持体であって、
一方が開放された箱形の外側部材と、
袋体と同袋体内に充填された充填材とで構成され、前記外側部材の内部に収納される受圧体と、
前記外側部材の開放側から前記受圧体を押圧する内側部材と、を備え、
前記外側部材は、外部から前記袋体に孔をあけて前記充填材を外部へ放出させるための貫通孔を有することを特徴とする、圧力支持体。
【請求項５】
前記外側部材の外側面には、周方向に沿ってリブが形成されていることを特徴とする、請求項４に記載した圧力支持体。
【請求項６】
前記内側部材は、前記対向する配置の部材のうち一方の部材へ取り付けるための取付部材を有することを特徴とする、請求項４又は５に記載した圧力支持体。
【請求項７】
上記請求項４〜６のいずれか一に記載した圧力支持体を、対向する配置の部材間から取り外すための取外し方法であって、
前記外側部材の貫通孔から袋体に孔をあける工程と、
前記袋体内の充填材を前記貫通孔から外部へ放出させて除去し、前記圧力支持体を圧縮させる工程と、
前記圧縮した圧力支持体を、前記部材間から取り外す工程と、からなることを特徴とする、圧力支持体の取外し方法。
【発明の詳細な説明】
【技術分野】
【０００１】
本発明は、対向する配置の部材間に設置され、同部材から受ける圧力を支持する受圧体及び圧力支持体並びに部材間に設置された圧力支持体の取外し方法に関する。
【背景技術】
【０００２】
例えば、地盤の掘削作業において、鋼矢板で構成された山留め壁と、水平方向に架設された腹起こし材と、前記腹起こし材間に架設された切梁とで構成された山留め構造が知られている。
【０００３】
前記山留め壁と前記腹起こし材との間には、例えば１０ｃｍ〜１５ｃｍ程度の隙間が生じるため、この隙間に裏込めとして、金属材、木材、又はプラスチック等の楔を打ち込んだり、ネジ式の伸縮部材を設けたり、或いはコンクリートを打設したりして、山留め構造の安定化を図っている。
【０００４】
ところで、最終的には、腹起こし材と切梁を撤去することになるが、山留め壁に作用する土圧は経時的に大きくなるため、前記隙間に設けた楔やネジ式の伸縮部材は容易に取り外すことができない。また、コンクリートを打設した場合には、コンクリートの斫り作業が必要となり、手間と時間を要するため、工期が長引き、工費が嵩む問題がある。前記腹起こし材を切断して撤去する方法もあるが、腹起こし材や山留め壁が一斉に倒れる危険性があり、作業者の安全性を確保できない。また切断した腹起こし材は再利用できないため、不経済である。
【０００５】
例えば、下記特許文献１に開示された土留め支保架構の裏込め器具は、腹起こし材に係合させる箱形部材と、土留めに圧接させる押圧部材とで構成されている。前記押圧部材には、箱形部材内に摺動可能に配置させる摺動板と、箱形部材の前面板と摺動板との間に砂等の充填材を挿入させることにより山留め壁に密着させる押圧板とを備えており、前記摺動板と前記押圧板とが連結片により連結された構成である。  
【先行技術文献】
【特許文献】
【０００６】
【特許文献１】特開２０００―１２００６９号公報
【発明の概要】
【発明が解決しようとする課題】
【０００７】
上記特許文献１には、工事完了後に充填材を除去することにより、裏込め器具を土留め支保架構の腹起こし材と山留め壁から取り外すことができるが、前記充填材を箱形部材から除去する手段・方法については何ら記載されていない。
また、上記特許文献１には、箱形部材の前面板と摺動板との間に砂等の充填材を挿入するが、砂等の充填材が箱形部材と摺動板との間から漏れ出る虞がある。
【０００８】
そこで、本発明の目的は、上記課題に鑑みてなされたものであり、対向する配置の部材間に設置され、同部材から受ける圧力を確実に支持することができ、用済み後は、部材から圧力を受けた状態であっても部材間から容易に取り外すことができる、受圧体及び圧力支持体並びに同圧力支持体の取外し方法を提供することである。
【課題を解決するための手段】
【０００９】
上記の課題を解決する手段として、請求項１に記載した発明に係る受圧体は、対向する配置の部材間に設置され、同部材から受ける圧力を支持する一対の支持体間に設置される受圧体であって、袋体と、同袋体内に充填された充填材と、を備えていることを特徴とする。
【００１０】
請求項２に記載した発明は、請求項１に記載した発明に係る受圧体において、前記充填材は、粒状物で構成されており、前記袋体は、該袋体内の空気を抜く空気孔が形成されていることを特徴とする。
【００１１】
請求項３に記載した発明は、請求項１又は２に記載した発明に係る受圧体において、前記袋体は、破くことができる材質で構成されており、前記袋体を破って内部の前記充填材を外部へ放出させることができることを特徴とする。
【００１２】
請求項４に記載した発明に係る圧力支持体は、対向する配置の部材間に設置され、同部材から受ける圧力を支持する圧力支持体であって、一方が開放された箱形の外側部材と、袋体と同袋体内に充填された充填材とで構成され、前記外側部材の内部に収納される受圧体と、前記外側部材の開放側から前記受圧体を押圧する内側部材と、を備え、前記外側部材は、外部から前記袋体に孔をあけて前記充填材を外部へ放出させるための貫通孔を有することを特徴とする。
【００１３】
請求項５に記載した発明は、請求項４に記載した発明に係る圧力支持体において、前記外側部材の外側面には、周方向に沿ってリブが形成されていることを特徴とする。
【００１４】
請求項６に記載した発明は、請求項４又は５に記載した発明に係る圧力支持体において、前記内側部材には、前記対向する配置の部材のうち一方の部材へ取り付けるための取付部材を有することを特徴とする。
【００１５】
請求項７に記載した発明に係る圧力支持体の取外し方法は、上記請求項４〜６のいずれか一に記載した圧力支持体を、対向する配置の部材間から取り外すための取外し方法であって、前記外側部材の貫通孔から袋体に孔をあける工程と、前記袋体内の充填材を前記貫通孔から外部へ放出させて除去し、前記圧力支持体を圧縮させる工程と、前記圧縮した圧力支持体を、前記部材間から取り外す工程と、からなることを特徴とする。
【発明の効果】
【００１６】
本発明に係る受圧体及び圧力支持体並びに同圧力支持体の取外し方法によれば、対向する配置の部材間に圧力支持体を設置して同部材から受ける圧力を受圧体で確実に支持することができ、用済み後は、貫通孔から受圧体の袋体を破って充填材を外部に放出させて圧力支持体を圧縮させ、同圧力支持体に作用する圧力を低下させることができるので、圧力支持体を部材間から容易に取り外すことができる。
【図面の簡単な説明】
【００１７】
【図１】山留め構造の一例を示した説明図である。
【図２】圧力支持体を裏込め材として山留め壁と腹起こし材との隙間に設けた状態を示した拡大斜視図である。
【図３】（Ａ）は圧力支持体を分解して示した斜視図、（Ｂ）は開放側から見た外側部材の斜視図である。
【図４】圧力支持体の断面図である。
【図５】（Ａ）は外側部材の正面図、（Ｂ）は外側部材の側面図である。
【図６】外側部材の異なる実施形態を示した断面図である。
【図７】内側部材をハニカム形状に形成した実施形態を示した斜視図である。
【図８】圧力支持体を山留め壁と腹起こし材との隙間に設置する要領を示した説明図である。
【図９】（Ａ）、（Ｂ）は、腹起こし材の撤去時に外側部材に収納した受圧体の硅砂を放出させる要領を示した説明図である。
【図１０】（Ａ）、（Ｂ）は、受圧体を水袋で構成した場合の実施形態を示した説明図である。
【図１１】ホース支持板を腹起こし材側から見た側面図である。
【発明を実施するための形態】
【００１８】
［第１実施形態］
次に、本発明に係る受圧体及び圧力支持体並びに同圧力支持体の取外し方法の実施形態を図面に基づいて説明する。本実施形態の場合は、圧力支持体４を山留め構造に用いる裏込め材として使用した場合について説明する。
【００１９】
図１に示した山留め構造１は、鋼矢板２０ａで構成された第一山留め壁２０、及び複数本立設されたＨ形鋼２１ａのウェブ間に矢板２１ｂを設置した構成の第二山留め壁２１と、水平方向に架設された腹起こし材３と、腹起こし材３、３の間に架設された切梁３０とで構成されている。
【００２０】
腹起こし材３は、図１及び２に示したように、Ｈ形鋼で構成されており、フランジ３ａの外面を山留め壁２０、２１と対向させた配置とし、山留め壁２０、２１の所定の部位に所定の間隔で溶接又はボルト止め等で取り付けられたブラケット（図示することは省略）によって架設される。切梁３０は、腹起こし材３、３同士の間に架設（張設）され、土圧による山留め壁２０、２１の倒れ込みを防止する。
なお、腹起こし材３は、図示したＨ形鋼で構成するほか、例えば角鋼や角形鋼管等で構成する場合もある。
【００２１】
本発明に係る圧力支持体４は、図２で示したように、第一山留め壁２０と水平方向に架設した腹起こし材３との間に生じた隙間へ設置される。圧力支持体４は、腹起こし材３に沿って一定の間隔（例えば８０ｃｍ程度）をあけて設置される。
なお、圧力支持体４は、第二山留め壁２１と水平方向に架設した腹起こし材３との間に生じた隙間にも設置されるが、本実施形態では、圧力支持体４を、第一山留め壁２０（以下、単に山留め壁という。）と水平方向に架設した腹起こし材３との間に生じた隙間へ設置した場合について説明する。
【００２２】
圧力支持体４は、図３及び図４に示したように、一対の支持体５、７と同支持体５、７の間に設置される受圧体６とで構成されている。具体的には、一方が開放された箱形の外側部材５と、袋体６０と同袋体６０の内部に充填された充填材６１とで構成され外側部材５の内部に収納される受圧体６と、外側部材５の開放側から受圧体６を押圧する内側部材７とで構成されている。
【００２３】
外側部材５は、図３に示したように、金属材を平面的に見た外形が略円形状の箱形に形成し、外面全体をカーボン繊維等の補強材（図示することは省略）で覆って補強されている。そして、外側部材５は、開放側の縁部に沿って、例えば５ｍｍ程度外側へ突き出す補強リブ５１が形成されている。補強リブ５１は、例えば折り曲げ加工により形成される。
【００２４】
外側部材５の寸法は、一例として、図５（Ａ）、（Ｂ）に示したように、外径Ｌが約１６０ｍｍ程度、内部５０の内径Ｍが１５２〜１５５ｍｍ程度であり、内部５０の深さＮが４０ｍｍ〜４５ｍｍ程度である。
なお、外側部材５を平面的に見た外形は、図示した円形状に限らず、例えば三角形状、四角形状或いは五角形状等の多角形状、或いは楕円形状等で形成した構成とすることもできる。
また、外側部材５の寸法は、山留め壁２０と腹起こし材３との間に生じる隙間の大きさや、腹起こし材３の大きさ等、現場の状況に応じて適宜変更するものとする。
【００２５】
外側部材５は、金属材で形成する他、例えば炭素繊維やガラス繊維などのＦＲＰ（Fiber Reinforced Plastics）や強化プラスチック（例えばポリカーボネート）、或いは無垢材等で形成することもできる。前記ＦＲＰ、強化プラスチック、或いは無垢材等で形成する場合には、図６で示したように、外側面の周方向に沿って並列させた２つの補強リブ５１、５１を形成し、強度を高めた構成で実施することもできる。更に、金属と前記強化プラスチックの複合体として合理的な形状で構成することもできる。
【００２６】
外側部材５の側面には、図５（Ａ）、（Ｂ）に示したように、外部から内部５０の受圧体６の袋体６０を破って充填材６１を外側部材５の外部へ放出させるための複数の貫通孔５２…が設けられている。
【００２７】
貫通孔５２は、土圧により圧力支持体４が圧縮されても、外側部材５の内部に収納した受圧体６の袋体６０を破って外部へ充填材６１を放出させることができる範囲で、且つ土圧に対する外側部材５の強度を考慮した位置、大きさ、形状で形成されている。
具体的には、貫通孔５２は、直径４ｍｍ程度の円孔を、周方向に１０ｍｍ程度の間隔をあけて３つ形成したものを一組とし、１８０度対称な配置で２箇所に形成されている。３つの貫通孔５２のうち、左右外側の貫通孔５２ｂ、５２ｃは、内部５０の底面から開放側へ向かって５ｍｍ程度の位置に形成され、真ん中の貫通孔５２ａは、内部５０の底面から開放側へ向かって１０ｍｍ程度の位置に形成されている。３つの貫通孔（５２ａ、５２ｂ、５２ｃ）をずらした位置に形成することで、充填材６１を外側部材５の外部へ効率良く放出させて完全に除去することができ、更に外側部材５の局部的な破損を防止することができる。
但し、貫通孔５２の位置、大きさ、形状及び個数は、図示した構成に限定されない。針材等５３を挿入して受圧体６の袋体６０に孔をあけることができ、腹起こし材３及び切梁３０の撤去時において内部の充填材６１を外部へ効率良く放出させることができる程度の大きさ、形状及び個数であれば、他の構成で実施することもできる。
【００２８】
受圧体６は、袋体６０と同袋体６０の内部に充填された硅砂６１とで構成された砂袋である。
受圧体６は、図３及び図４に示したように、外側部材５の内部５０に収まる形状・大きさで形成されている。具体的には、外側部材５が上記形状及び寸法である場合には、外径が約１５０ｍｍ程度で、厚さが３０ｍｍ程度で構成する。受圧体６の厚さを３０ｍｍ程度とする理由は、腹起こし材３を撤去する時に山留め壁２０には非常に大きな土圧が作用しているため、圧力支持体４を３０ｍｍ程度圧縮させないと、山留め壁２０と腹起こし材３との隙間から圧力支持体４を取り除くことが困難だからである。
【００２９】
袋体６０は、土圧の作用で圧力支持体４が圧縮されても決して破れることがなく、それでいて柔軟性及び耐候性を有し、更に針材等で簡単に孔をあける（破断する）ことができるビニール・ポリエチレン等の樹脂フィルムやゴム系の材質を使用する。
また、袋体６０の内部に充填する充填材６１は、例えば上記した硅砂を使用することが好ましい。硅砂６１は、砂径が細かく均一性があり、それでいて湿り気がないから、工期が長引いても固まる虞がなく、腹起こし材３及び切梁３０の撤去時に貫通孔５２…から容易に放出させて除去することができる。ただし、充填材６１は、流動性があれば良く、上記硅砂６１に限らず、他の粒状物や粉状物、或いは液状物等を使用して実施することもできる。
【００３０】
なお、袋体６０は、袋内部に空気が混入している状態で土圧を受けると、使用中に破れて内部の硅砂６１が外側部材５の貫通孔５２から外部へ漏れ出る虞があるため、砂粒よりも小さい孔を袋体全体に多数形成し、内部の空気を適宜抜くことができる構成とするか、或いは真空パッキングして空気を抜き取った状態にする。
【００３１】
内側部材７は、図３及び図４に示したように、外側部材５の内部５０に嵌め込み可能な形状、大きさの円柱体形状で構成されている。一例として、外径が１５０ｍｍ程度とされ、図３に示した縦幅が４５ｍｍ程度とされる。内側部材７の外径を外側部材５の内部５０の内径よりも若干小さくすることで、内側部材７に対する外側部材５のスライド移動可能及び揺動可能としている。
内側部材７も外側部材５と同様、金属材で構成され、その外周面にカーボン繊維等の補強材（図示することは省略）で覆って補強した構成である。但し、内側部材７は、例えば炭素繊維やガラス繊維等の強化プラスチック、或いは無垢材等で形成することもできる。
【００３２】
なお、内側部材７は、図７に示したように、腹起こし材３側に複数の溝部を形成してハニカム形状を呈する構成とし、軽量化を図った構成とすることが好ましい。
【００３３】
内側部材７は、図３及び図４に示したように、側面７０を外側部材５の内部５０に収納された受圧体６に面接触させ、ハニカム形状を有するハニカム面７１に、腹起こし材３へ掛け止めて取り付ける取付部材８が設けられている。
【００３４】
取付部材８は、図３及び図８に示したように、内側部材７のハニカム面７１と面接合される取付板８０と、同取付板８０に取り付けられ、腹起こし材３のフランジ３ａの上縁に掛け止められる掛止部材８１、８１とで構成されている。
【００３５】
取付板８０は、縦幅が２００ｍｍ程度、横幅が１７０程度、厚さ５ｍｍ程度の長方形の板材であり、内側部材７の外径（１５０ｍｍ程度）よりも大きい縦横寸法で構成されている。取付板８０は、例えば金属材や強化プラスチック等で構成される。
【００３６】
取付板８０は、図３に示したように、上部を約３０ｍｍ程度あけた位置に内側部材７が接合されている。取付板８０の上部の中央には、圧力支持体４の設置作業及び取外し作業時に取っ手として機能する横長の長円孔８０ａが形成されている。また、取付板８０の上下の各隅部には、掛止部材８１、８１を取り付けるフック孔８０ｂ、８０ｃが直径１２ｍｍ程度で形成されている。
【００３７】
掛止部材８１は、図８に示したように、１０〜２０ｃｍ程度の長さを有する鎖８１ａの両端にフック８１ｂ、８１ｃを取り付けた構成である。鎖８１ａの一端側のフック８１ｃは、取付板８０のフック孔８０ｂへ掛け止められ、他端側のフック８１ｂは、腹起こし材３のフランジ３ａの上縁に掛け止められる。
なお、掛止部材８１は、一方のフック８１ｂを腹起こし材３のフランジ３ａの上縁に掛け止める他に、例えばフランジ３ａの外面にフック孔を設け、該フック孔へ掛け止めても良い。また、掛止部材８１は、図示した鎖８１ａに限らず、例えば強度の高い紐状ものを用いた構成でもよい。
【００３８】
上記のように説明した圧力支持体４は、簡易な構成であるから大量生産に適し、安価に生産することができるから非常に経済的である。
【００３９】
上記構成の圧力支持体４を、山留め壁２０と腹起こし材３との隙間に設置するには、先ず、図８に示すように、掛止部材８１の一端側のフック８１ｂを腹起こし材３のフランジ３ａの上縁に掛け止める。次に、山留め壁２０（鋼矢板２０ａのウェブ）と腹起こし材３との間に生じた隙間に、貫通孔５２の一方の組が下方に向く配置とした圧力支持体４を、鉄片等の調整部材９０と共に設置する。このとき、外側部材５が山留め壁２０側となり、内側部材７が腹起こし材３側となる。
【００４０】
調整部材９０は、内側部材７に取り付けた取付板８０と腹起こし材３との間に設けるもので、山留め壁２０と腹起こし材３との間の隙間の大きさに合わせて適宜大きさを調整して設ける。なお、調整部材９０を設けることなく実施することもできる。
最後に、調整部材９０と腹起こし材３との間に楔等の加圧装置９１を打ち込んで、圧力支持体４の設置作業が完了する。
なお、楔等の加圧装置９１に代えて、例えばネジ式の伸縮部材を設置した構成で実施することもできるし、調整部材９０と腹起こし材３との間にコンクリートを打設した構成で実施することもできる。
【００４１】
山留め壁２０の壁面と腹起こし材３のフランジ３ａの外面とは、平行面になり難く、その隙間の形状も様々となる。本発明に係る圧力支持体４は、外側部材５の内部の受圧体６を隙間の形状によって柔軟に形を変化させることができるので、受圧体６の形状に応じて外側部材５がスライド移動又は揺動して、山留め壁２０から確実に面圧を受けるように設置できる。つまり、圧力支持体４は、山留め壁２０からの土圧を腹起こし材３に均一に伝達することができるから、山留め構造１の安定化を図ることができる。
【００４２】
次に、山留め壁２０と腹起こし材３の隙間に設置した圧力支持体４の取外し方法について説明する。
腹起こし材３及び切梁３０を撤去する場合において、図９に示したように、外側部材５の３つの貫通孔５２…へ針材等の先の尖った棒材５３を挿入して受圧体６に突き刺し、袋体６０に孔をあける。孔から漏れ出た硅砂６１は、外側部材５の３つの貫通孔５２を通じて砂時計の砂の如くゆっくりと効率良く放出させることができ、外側部材５から確実に除去することができる。
【００４３】
外側部材５の外部へ放出した硅砂６１は、図８、図９（Ｂ）に示したように、貫通孔５２…の真下に予め設置しておいた回収袋９２で回収することが好ましい。但し、硅砂６１は地盤に混ざっても環境に全く影響がないので、回収袋９２で回収することなく、そのまま掘削地盤中へ放出させてもよい。なお、回収袋９２は、図８に示したように、例えば左右の持ち手部分に両端を取り付けた紐材９２ａを、外側部材５の外周面に掛けて使用すると、作業を楽に行うことができる。
【００４４】
硅砂６１を外側部材５内から完全に放出して除去すると、受圧体６の厚み（３０ｍｍ程度）の分だけ圧力支持体４が圧縮し、同圧力支持体４に作用する土圧を低下させることができる。作業者は、取付板８０の取っ手８０ａを掴んで上方へ引っ張り上げることで、山留め壁２０と腹起こし材３との隙間から容易に且つ安全に取り外すことができる。隙間から取外した圧力支持体４の外側部材５と内側部材７は、再利用することが可能なので経済的である。
圧力支持体４を隙間から取外した後は、腹起こし材３及び切梁３０に作用する土圧が解放され、同腹起こし材３及び切梁３０を安全に且つ容易に撤去することができる。
【００４５】
［第２実施形態］
第２実施形態の圧力支持体４’は、図１０（Ｂ）に示したように、受圧体６’を袋体６０と同袋体６０の内部に充填された水６２とで構成したことを特徴としている。受圧体６’以外のその他の構成は、上記第１実施形態と同様の構成であるため、同一の符号を付してその説明を適宜省略する。
【００４６】
圧力支持体４’は、図１０及び図１１に示したように、袋体６０に先端部が接続されたホース６４と、取付部材８の側面に取り付けられ、ホース６４を嵌め込む縦長の切欠溝６３ａが形成されたホース支持板６３とを有する。
ホース６４は、ホース支持板６３の切欠溝６３ａに嵌め込まれ、取付部材８と内側部材７にそれぞれ設けられた貫通孔へ通し、先端部が接続部材６４ｂを介して袋体６０に接続されている。ホース６４の注入口６４ｃは、切欠溝６３ａからホース支持板６３の上方へ突き出している。
袋体６０の水６２は、圧力支持体４’を山留め壁２０と腹起こし材３との隙間に設置した後に、ホース６４の注入口６４ｃから高圧注入されて袋体６０に充填される。ホース６４の注入口６４ｃには、逆止弁及び水抜きバルブで構成した逆止弁装置６４ａが設けられており、袋体６０に充填された水６２の逆流を防止することができる。
【００４７】
上記構成の圧力支持体４’を、山留め壁２０と腹起こし材３との隙間に設置するには、先ず、図１０（Ａ）に示したように、袋体６０に水６２を充填していない状態で、図８に示すように、掛止部材８１の一端側のフック８１ｂを腹起こし材３のフランジ３ａの上縁に掛け止める。そして、図１０（Ａ）に示したように、圧力支持体４’を、山留め壁２０（鋼矢板２０ａのウェブ）と腹起こし材３との間に生じた隙間に、外側部材５の貫通孔５２の一方の組が下方に向く配置にして設置する。
次に、図１０（Ｂ）に示したように、ホース６４の注入口６４ｃから高圧水を注入して袋体６０内に水６２を充填し、圧力支持体４’を山留め壁２０と腹起こし材３へ押圧させることで設置作業が完了する。
圧力支持体４’は、袋体６０に高圧水を注入することで、ジャッキのように扛上、扛下が可能となるため、加圧装置９１や調整部材９０が不要である。
なお、受圧体６’は、袋体６０内に高圧水を注入した際に、外側部材５の内部５０と内側部材７の側面７０とで囲まれた空間の最大表面積よりも、袋体６０の表面積を大きく構成することで、同袋体６０の破損を防止できる。
【００４８】
なお、上記第１実施形態で説明した砂袋で構成した受圧体６と同様に、予め袋体６０に水６２を充填した受圧体６’を、外側部材５の内部５０に収納させた状態で、山留め壁２０と腹起こし材３との隙間に設置する構成で実施することもできる。
【００４９】
山留め壁２０と腹起こし材３の隙間に設置した圧力支持体４’を取り外すには、外側部材５の３つの貫通孔５２へ針材等の先の尖った棒材５３を挿入して受圧体６’に突き刺し、袋体６０に孔をあける。孔から漏れ出た水６２は、外側部材５の３つの貫通孔５２を通じて地盤に放出させる。なお、袋体６０の内部に充填された水６２は、逆止弁装置６４ａの水抜きバルブを緩めることでも放出可能である。
水６２を外側部材５内から完全に放出して除去すると、受圧体６’の厚み（３０ｍｍ程度）の分だけ圧力支持体４’が圧縮し、同圧力支持体４’に作用する土圧を低下させることができる。作業者は、取付板８０の取っ手８０ａを掴んで上方へ引っ張り上げることで、山留め壁２０と腹起こし材３との隙間から容易に且つ安全に取り外すことができる。
圧力支持体４’を隙間から取外した後は、腹起こし材３及び切梁３０に作用する土圧が解放され、同腹起こし材３及び切梁３０を安全に且つ容易に撤去することができる。
【００５０】
以上に本発明に係る受圧体及び圧力支持体並びに同圧力支持体を用いた山留め構造を、図面に示した実施例に基づいて説明したが、本発明は、図示例の限りではなく、その技術的思想を逸脱しない範囲において、当業者が通常行う設計変更や変形・応用のバリエーションの範囲を含むことを念のため付言する。
【００５１】
例えば、内側部材７の一側面に取付部材８を設けた構成について説明したが、取付部材８を設けることなく実施することができる。
【００５２】
また、本実施形態では、圧力支持体４、４’を山留め構造１に用いる裏込め材として使用した場合を例に説明したが、例えば、トンネルや橋梁等の構築物の構築おける仮設支保工や仮受け等々、種々の用途に使用することができる。
【符号の説明】
【００５３】
１          山留め構造
２０、２１  山留め壁
３          腹起こし材
４          圧力支持体
５          外側部材
５１        補強リブ
５２        貫通孔
６、６’    受圧体
６０        袋体
６１        充填材（硅砂）
６２        充填材（水）
７          内側部材
８          取付部材
８０        取付板
８１        掛止部材
【図１】
2015209742.tif 000003
【図２】
2015209742.tif 000004
【図３】
2015209742.tif 000005
【図４】
2015209742.tif 000006
【図５】
2015209742.tif 000007
【図６】
2015209742.tif 000008
【図７】
2015209742.tif 000009
【図８】
2015209742.tif 000010
【図９】
2015209742.tif 000011
【図１０】
2015209742.tif 000012
【図１１】
2015209742.tif 000013